(57)【要約】【課題】スピニングリールのロータにおいて、ロータを容易に形成するとともに、ロータを軽量化しつつ強度を高く維持する。【解決手段】スピニングリールのロータ３は、リール本体２に回転自在に装着されたロータ本体１５と、ロータ本体１５の先端に揺動自在に装着されたベールアーム１６と、ロータ本体１５の後部外側面に周囲を覆うように着脱自在に装着されたガード部材１８と、ガード部材１８を上下から挟み込むようにロータ本体１５に装着されたカバー部材１７とを有している。ロータ本体１５は、アルミダイカスト成形により形成された金属製のものである。ガード部材１８は、冷間鍛造により形成されたアルミニウム合金製部材である。【選択図】　　　図３
2004141039.tif 000002
【特許請求の範囲】
【請求項１】
リール本体に回転自在に装着されスプールに釣り糸を案内して巻き付けるスピニングリールのロータであって、
前記リール本体に回転自在に装着される円筒部と、前記円筒部の後端部の外周面の対向する位置から前記円筒部と間隔を隔ててそれぞれ前方に延びる１対のロータアームとを有し、型成形により形成されたロータ本体と、
前記円筒部の後端部及び前記１対のロータアームの周囲を覆うように装着され、鍛造により形成された金属製のガード部材と、
を備えたスピニングリールのロータ。
【請求項２】
前記ロータ本体は射出成形により形成された合成樹脂製部材である、請求項１に記載のスピニングリールのロータ。
【請求項３】
前記ロータ本体はダイカスト成形により形成された金属製部材である、請求項１に記載のスピニングリールのロータ。
【請求項４】
前記ロータ本体はアルミニウム合金製である、請求項３に記載のスピニングリールのロータ。
【請求項５】
前記ガード部材は冷間鍛造により形成されている、請求項１から４のいずれかに記載のスピニングリールのロータ。
【発明の詳細な説明】
【０００１】
【発明の属する技術分野】
本発明は、スピニングリールのロータ、特に、リール本体に回転自在に装着されスプールに釣り糸を案内して巻き付けるスピニングリールのロータに関する。
【０００２】
【従来の技術】
スピニングリールは、一般に、釣竿に装着されるリール本体と、リール本体に回転自在に装着された釣り糸案内用のロータと、ロータにより案内された釣り糸を巻き取るスプールとを有している。ロータは、ロータ本体と、ロータ本体に揺動自在に装着されたベールアームとを有している。ロータ本体は、リール本体に回転自在に装着された円筒部と、１対のロータアームとを有している。１対のロータアームは、円筒部の後端部から径方向外方に延びる１対の接続部と、１対の接続部から屈曲し円筒部と間隔を隔ててそれぞれ前方に延びる１対のアーム部とを有している。円筒部の後端部には他の部分より大径のリング状の大径部が形成されており、この大径部及び１対の接続部の外側露出面はカバー部により覆われている（たとえば、特許文献１参照）。
【０００３】
【特許文献１】
特開２００１−１９０１９１号公報
【０００４】
【発明が解決しようとする課題】
前記従来のロータでは、たとえば仕掛けに大物等が掛かり釣り糸に大きな張力が作用したとき、釣り糸によりベールアームがスプール側に押し込まれてしまうことがある。このように、ベールアームがスプール側に押し込まれると、ロータが変形してしまうおそれがある。そこで、ロータ全体の強度を高く維持するために、ロータを鍛造により形成することが考えられる。しかし、ロータは形状が複雑であるため、鍛造により形成することが困難である。また、ロータ全体を鍛造により形成すると、全体の重量が増加してしまうおそれがある。
【０００５】
本発明の課題は、スピニングリールのロータにおいて、ロータを容易に形成するとともに、ロータを軽量化しつつ強度を高く維持することにある。
【０００６】
【課題を解決するための手段】
発明１に係るスピニングリールのロータは、リール本体に回転自在に装着されスプールに釣り糸を案内して巻き付けるスピニングリールのロータであって、リール本体に回転自在に装着される円筒部と円筒部の後端部の外周面の対向する位置から円筒部と間隔を隔ててそれぞれ前方に延びる１対のロータアームとを有し型成形により形成されたロータ本体と、円筒部の後端部及び１対のロータアームの周囲を覆うように装着され鍛造により形成された金属製のガード部材とを備えている。
【０００７】
このロータでは、型成形により形成されたロータ本体と、鍛造により形成された金属製のガード部材とを備えている。ここでは、ロータ本体は、型成形により容易に形成できるとともに、全体を鍛造で形成する場合に比して軽量化できる。
また、ガード部材は、鍛造により形成することにより高強度にすることができるので、このガード部材によりロータ全体の強度を高く維持できる。
【０００８】
発明２に係るロータは、発明１のロータにおいて、ロータ本体は射出成形により形成された合成樹脂製部材である。この場合、合成樹脂を射出成形することにより、安価かつ軽量にロータ本体を形成できる。
発明３に係るロータは、発明１のロータにおいて、ロータ本体はダイカスト成形により形成された金属製部材である。この場合、金属をダイカスト成形することにより、容易かつ軽量にロータ本体を形成できる。
【０００９】
発明４に係るロータは、発明３のロータにおいて、ロータ本体はアルミニウム合金製である。この場合、ロータ本体をアルミニウム合金をダイカスト成形することにより、ロータ本体の加工がさらに容易になる。
発明５に係るロータは、発明１から４のいずれかのロータにおいて、ガード部材は冷間鍛造により形成されている。この場合、ガード部材の強度をさらに高くできる。
【００１０】
【発明の実施の形態】
本発明の一実施形態が採用されたスピニングリールは、図１に示すように、ハンドル１を有し釣竿に装着されるリール本体２と、リール本体２の前方に配置されたロータ３と、ロータ３の前方に配置されたスプール４とを備えている。ロータ３は、リール本体２に回転自在に装着されている。スプール４は、リール本体２に前後移動自在に装着されている。
【００１１】
リール本体２は、たとえばマグネシウム合金製であり、リールボディ２ａと、リールボディ２ａの図１上方に延びる概ねＴ字状の竿装着部２ｂとを有している。リールボディ２ａの内部には、ハンドル１の回転をロータ３に伝達するための図示しない回転伝達機構やハンドル１のロータ３の回転に同期してスプール４を前後移動させるための図示しないオシレーティング機構が設けられている。リールボディ２ａの後端下部は、オシレーティング機構を収納するために後方に突出する突出部となっている。この突出部には、傷つきを防止するためにプレス成形された、たとえばステンレス合金製等の硬質金属製のカバープレート１０が装着されている。カバープレート１０とリールボディ２ａとの間にはリール本体２の電解腐食を防止するために合成樹脂製の絶縁部材１１が介装されている。
【００１２】
ロータ３は、図２及び図３に示すように、リール本体２に回転自在に装着されたロータ本体１５と、ロータ本体１５の先端に揺動自在に装着されたベールアーム１６と、ロータ本体１５の後部外側面に周囲を覆うように着脱自在に装着されたガード部材１８と、ガード部材１８を上下から挟み込むようにロータ本体１５に装着されたカバー部材１７とを有している。
【００１３】
ロータ本体１５は、アルミダイカスト成形により形成された金属製のものであり、円筒部２０と、円筒部２０と一体形成された第１ロータアーム２１及び第２ロータアーム２２とを有している。円筒部２０は、リール本体２に回転自在に装着され後端部に他の部分より大径のリング状の大径部２０ａを有している。
第１ロータアーム２１及び第２ロータアーム２２は、大径部２０ａの外周面の対向する位置に形成されている。第１ロータアーム２１及び第２ロータアーム２２は、大径部２０ａの外周面の対向する位置で大径部２０ａから径方向外方に延びる第１接続部２１ａ及び第２接続部２２ａと、第１接続部２１ａ及び第２接続部２２ａから屈曲し円筒部２０と間隔を隔ててそれぞれ前方に延びる第１アーム部２１ｂ及び第２アーム部２２ｂとを含んでいる。
【００１４】
第１接続部２１ａ及び第２接続部２２ａは、大径部２０ａの外周面から先細りに径方向外方に突出した後湾曲して第１アーム部２１ｂ及び第２アーム部２２ｂにそれぞれ連続している。これらの第１接続部２１ａ及び第２接続部２２ａと第１アーム部２１ｂ及び第２アーム部２２ｂとの外側面には外側に突出する縁取りがなされており、縁取り部分で囲まれた外側部分に空間が形成されている。そして、第１ロータアーム２１側の外側空間には、ベールアーム１６を糸巻取姿勢と糸開放姿勢とに保持するとともに、糸開放姿勢から糸巻取姿勢に復帰させるベール反転機構３０が設けられている。
【００１５】
ベールアーム１６は、釣り糸をスプール４に案内するためのものである。ベールアーム１６は、第１ロータアーム２１及び第２ロータアーム２２の先端にそれぞれ揺動自在に装着された第１ベール支持部材２５及び第２ベール支持部材２６と、第１ベール支持部材２５の先端に回転自在に装着されたラインローラ２７と、線材製の湾曲したベール２９とを有している。第１ベール支持部材２５は、ラインローラ２７を挟んで配置された固定軸カバー２８を有しており、ベール２９は固定軸カバー２８と第２ベール支持部材とを連結している。
【００１６】
ガード部材１８は、図３に示すように、冷間鍛造により形成されたアルミニウム合金製部材である。ガード部材１８は、第１ロータアーム２１及び第２ロータアーム２２と大径部２０ａとの周囲を滑らかに覆うように内部に空間を形成可能に三次元的に湾曲したフレーム部材である。ガード部材１８は、大径部２０ａの周囲を覆う環状部１８ａと、環状部１８ａから前方に延びて第１ロータアーム２１及び第２ロータアーム２２を覆う第１フレーム部１８ｂ及び第２フレーム部２２ｂとを有している。環状部１８ａと第１フレーム部１８ｂ及び第２フレーム部２２ｂとは滑らかに接続されている。
【００１７】
カバー部材１７は、図３に示すように、第１ロータアーム２１及び第２ロータアーム２２の外側空間を覆うように上下からロータ本体１５に装着可能である。
カバー部材１７は、第１ロータアーム２１及び第２ロータアーム２２の外側面をカバーする第１カバー部１７ａ及び第２カバー部１７ｂとを有している。第１カバー部１７ａ及び第２カバー部１７ｂにもそれぞれ貫通孔付きのボス部３３ａ、３３ｂが形成されており、ボス部３３ａ、３３ｂに挿入された小ねじ３４ａ、３４ｂにより、ガード部材１８とともにロータ本体１５に締結されている。
【００１８】
スプール４は、外周に釣り糸が巻き付けられる鍔付き円筒状の部材である。スプール４は、ロータ３の回転に同期して前後移動し、ベールアーム１６により案内された釣り糸を外周面に略均一に巻き取る。
このように構成されたロータ３では、アルミダイカスト成形により形成されたロータ本体１５と、冷間鍛造により形成されたアルミニウム合金製のガード部材１８とを備えている。ここでは、ロータ本体１５はアルミダイカスト成形によりロータ本体１５を容易に形成できるとともに、全体を鍛造で形成する場合に比して軽量化できる。また、ガード部材１８は、鍛造により形成することにより高強度にすることができるので、このガード部材１８によりロータ３の強度を高く維持できる。
【００１９】
〔他の実施形態〕
（ａ）　前記実施形態では、ロータ本体１５はアルミダイカスト成形により形成されていたが、型成形であればこれに限定されず、他の金属をダイカスト成形したり、合成樹脂を射出成形してもよい。
（ｂ）　前記実施形態では、ガード部材１８は冷間鍛造により形成されていたが、熱間鍛造等のその他の鍛造方法によって形成してもよい。また、ガード部材１８はアルミニウム合金製であったが、これに限定されず、他の金属製でもよい。
【００２０】
（ｃ）　前記実施形態では、フロントドラグ型のスピニングリールを例に説明したが、リアドラグ型やレバーブレーキ型のスピニングリールのロータにも本発明を適用できる。
（ｄ）　前記実施形態では、ガード部材１８は、環状部１８ａと第１フレーム部１８ｂ及び第２フレーム部２２ｂとを有していたが、図４に示すように、環状部を有さない構成にしてもよい。
【００２１】
【発明の効果】
本発明によれば、スピニングリールのロータにおいて、型成形により形成されたロータ本体と、鍛造により形成された金属製のガード部材とを備えることにより、ロータを容易に形成するとともに、ロータを軽量化しつつ強度を高く維持できる。
【図面の簡単な説明】
【図１】本発明の一実施形態を採用したスピニングリールの側面図。
【図２】前記スピニングリールの側面断面図。
【図３】ロータの分解斜視図。
【図４】他の実施形態の図３に相当する図。
【符号の説明】
２　リール本体
３　ロータ
１５　ロータ本体
１８　ガード部材
２０　円筒部
２１、２２　ロータアーム
【図１】
2004141039.tif 000003
【図２】
2004141039.tif 000004
【図３】
2004141039.tif 000005
【図４】
2004141039.tif 000006